(57)【要約】      （修正有）【課題】コンパクトに収納でき、服用すべき薬の管理がし易い薬管理箱を提供する。【解決手段】薬管理箱は、内フラップ１２４ａ、１２４ｂ及び該箱体１２の内側に差し込まれる差込部１２６が設けられた蓋１２２を有する箱体１２と、箱体１２の内部に収容される収納部３０ａ、３０ｂと、を備え、収納部３０ａが、上方が開口した箱部３０２ａと、箱部３０２ａの内部に設けられ、それぞれ一回に服用される薬が収納される複数の区画３０６ａを形成する仕切り部３０４ａと、を有する。【選択図】図２
0003208217.tif 000002
【実用新案登録請求の範囲】
【請求項１】
内フラップ及び該箱体の内側に差し込まれる差込部が設けられた蓋を有する箱体と、
前記箱体の内部に収容される収納部と、を備え、
前記収納部が、上方が開口した箱部と、
前記箱部の内部に設けられ、それぞれ一回に服用される薬が収納される複数の区画を形成する仕切り部と、を有する薬管理箱。
【請求項２】
請求項１記載の薬管理箱であって、
前記蓋の外面の前記差込部の側に、前記複数の区画の位置に対応して前記薬の服用時間帯が表示されており、
前記蓋の基部と前記差込部との間に、該蓋を折り曲げるための折り目が設けられている薬管理箱。
【考案の詳細な説明】
【技術分野】
【０００１】
本考案は、コンパクトに収納でき、服用すべき薬の管理がし易い薬管理箱に関する。
【背景技術】
【０００２】
特許文献１には、病院、介護施設、在宅における患者の服薬および投薬ミスの発生の可能性を低下させ、かつ患者の服薬コンプライアンスを向上させるのに好適な薬剤等の収納容器が記載されている。この薬剤等の収納容器は、定期的に服用する薬剤等を収納する空間を内部に有し、上面に３１日分の日付の１つが表示された計３１日分の日付表示小箱と、日付表示小箱と同じ寸法形状を有する４個の補完小箱と、日付表示小箱および補完小箱を暦に従った配置で収納する外枠を有し、外枠に暦の１週間に従った日付表示小箱に対応する位置が分かるように曜日が表示された大箱とを備えた構成となっている。
【０００３】
特許文献２には、従来の欠点を改善して使い勝手の良い飲み忘れ防止具が記載されている。飲み忘れ防止具は、略直方体形状に形成されると共に内部を複数の仕切り壁によって区画して複数の個室が形成され、かつ、各個室に独立して開閉自在な蓋体を有し、個室の各々に１回服用分の薬剤を分配して収納可能とした透明な収納容器を備え、７つの曜日を配設した曜日表示部を有する支持盤に、７つの収納容器を着脱自在として並設し、各曜日の時間帯毎に薬剤の服用を確認するように構成している。
【先行技術文献】
【特許文献】
【０００４】
【特許文献１】実用新案登録第３１２２５９１号公報
【特許文献２】特開２０１３−２２０２４０号公報
【考案の概要】
【考案が解決しようとする課題】
【０００５】
本考案は、コンパクトに収納でき、服用すべき薬の管理がし易い薬管理箱を提供することを目的とする。
【課題を解決するための手段】
【０００６】
前記目的に沿う本考案に係る薬管理箱は、内フラップ及び該箱体の内側に差し込まれる差込部が設けられた蓋を有する箱体と、
前記箱体の内部に収容される収納部と、を備え、
前記収納部が、上方が開口した箱部と、
前記箱部の内部に設けられ、それぞれ一回に服用される薬が収納される複数の区画を形成する仕切り部と、を有する。
【０００７】
本考案に係る薬管理箱において、
前記蓋の外面の前記差込部の側に、前記複数の区画の位置に対応して前記薬の服用時間帯が表示されており、
前記蓋の基部と前記差込部との間に、該蓋を折り曲げるための折り目が設けられていることが好ましい。
【考案の効果】
【０００８】
本考案によれば、コンパクトに収納でき、服用すべき薬の管理がし易い薬管理箱を提供できる。
【図面の簡単な説明】
【０００９】
【図１】（Ａ）、（Ｂ）は、ぞれぞれ、本考案の一実施の形態に係る薬管理箱の蓋を閉じた状態及び開いた状態を示す外観図である。
【図２】同薬管理箱の分解図である。
【考案を実施するための形態】
【００１０】
続いて、添付した図面を参照しつつ、本考案を具体化した実施の形態につき説明し、本考案の理解に供する。なお、図において、説明に関連しない部分は図示を省略する場合がある。
【００１１】
本考案の一実施の形態に係る薬管理箱１０は、例えば２週間分の薬が収納され、患者が一回に服用すべき薬を管理できる。薬管理箱１０は、紙製である。
薬管理箱１０は、図１（Ａ）、（Ｂ）、及び図２に示すように、箱体１２並びにそれぞれ箱体１２に収容される第１の収納部３０ａ及び第２の収納部３０ｂを備えている。
【００１２】
箱体１２は、その外形状が直方体状であり、上部に差し込み式の蓋１２２及び左右一対の内フラップ１２４ａ、１２４ｂを有している。
蓋１２２には、図１（Ａ）に示すように、箱体１２の内側に差し込まれる差込部１２６が設けられている。蓋１２２の基部と差込部１２６との間（蓋１２２の中央部）には、左右に延びる折り目Ｆが設けられ、蓋１２２は、この折り目Ｆにて折り曲げられる。
蓋１２２の外面の差込部１２６の側には、左から薬の服用時間帯を示す「朝」、「昼」、「夕」、及び「眠前」の文字が表記されている。なお、「眠前」の文字は、就寝前の時間帯を表している。
各内フラップ１２４ａ、１２４ｂは、閉じた蓋１２２の下側に位置している。図２に示すように、内フラップ１２４ａは途中で折り曲げられ、その先端は下方を向いている。内フラップ１２４ｂも途中で折り曲げられ、その先端は下方を向いている。一方の内フラップ１２４ａの上側の面には、手前側（前面側）から蓋１２２の基部に向かって、曜日を示す「月」、「火」、「水」、「木」、「金」、「土」、及び「日」の文字が表記されている。
【００１３】
第１の収納部３０ａは、箱部３０２ａ及び仕切り部３０４ａを有している。
箱部３０２ａは、その外形状が直方体状であり、上方が開口した箱である。
仕切り部３０４ａは、箱部３０２ａの内部に設けられている。
第１の収納部３０ａには、箱部３０２ａ及び仕切り部３０４ａによって、複数の区画３０６ａが形成されている。詳細には、前後方向に７区画、左右方向に４区画であり、合計２８区画が形成されている。
従って、第１の収納部３０ａの各区画３０６ａに、予め一回に服用される薬を収納しておくことによって、１週間分の薬を管理できる。
【００１４】
第２の収納部３０ｂは、第１の収納部３０ａの下側に重ねて配置される。
箱部３０２ｂは、その外形状が直方体状であり、上方が開口した箱である。
仕切り部３０４ｂは、箱部３０２ｂの内部に設けられている。
第２の収納部３０ｂには、箱部３０２ｂ及び仕切り部３０４ｂによって、複数の区画３０６ｂが形成されている。詳細には、前後方向に７区画、左右方向に４区画であり、合計２８区画が形成されている。
従って、第２の収納部３０ｂの各区画３０６ｂに、予め一回に服用される薬を収納しておくことによって、１週間分の薬を管理できる。
【００１５】
このように、薬管理箱１０は、第１の収納部３０ａ及び第２の収納部３０ｂを備えているので、合計２週間分の薬を管理できる。
【００１６】
次に、薬管理箱１０の使用方法について説明する。
まず、事前に一回に服用すべき薬を薬管理箱１０の各区画３０６ａ、３０６ｂに収めておく。
【００１７】
服薬する際には、蓋１２２を開け、蓋１２２を折り目Ｆ（図１（Ａ）参照）に沿って折り曲げ、蓋１２２の差込部１２６を各内フラップ１２４ａ、１２４ｂと蓋１２２の基部との間に差し込む。そうすると、図１（Ｂ）に示すように、蓋１２２の外面に表示された服用時間帯を示す「朝」、「昼」、「夕」、及び「眠前」の文字が、各区画３０６ａの位置に対応して手前側に表れることになり、第１の収納部３０ａの各区画３０６ａに収められた薬の服用時間帯が明確となる。
薬管理箱１０を棚等に収納する場合には、蓋１２２を閉じてコンパクトに収納することができる。
【００１８】
最初の服薬から１週間経過し、第１の収納部３０ａに収められた全ての薬がなくなった場合には、第１の収納部３０ａと第２の収納部３０ｂとを入れ替え、残りの１週間分の薬を管理することができる。
【００１９】
このように、薬管理箱１０は、使用しない状態においては蓋１２２を閉じてコンパクトに収納できる。また、薬管理箱１０は、蓋１２２を開くと薬を服用する時間帯が各区画３０６ａ、３０６ｂの位置に対応して手前側に表示されるので、一回に服用すべき薬を見やすく簡単に管理できる。
【００２０】
以上、本考案の実施の形態を説明したが、本考案は、上記した形態に限定されるものでなく、要旨を逸脱しない条件の変更等は全て本考案の適用範囲である。
前述の実施の形態に係る薬管理箱１０は、内部の上下に収納部を２つ備えていたが、収納部を１つだけ備えていても良い。なお、薬管理箱が収納部を１つだけ備えている場合には、収納部を２つ備えている場合と比較して、高さ寸法は小さく抑えられる。
また、薬を収める区画の数は、服用時間帯及び服用する日に応じて設定される。従って、蓋の外面に表示された服用時間帯を示す「朝」、「昼」、「夕」、及び「眠前」の文字は、例えば、患者の投薬状況に応じて「朝」、「昼」、及び「夕」であってもよい。
【符号の説明】
【００２１】
１０  薬管理箱
１２  箱体
３０ａ  第１の収納部
３０ｂ  第２の収納部
１２２  蓋
１２４ａ、１２４ｂ  内フラップ
１２６  差込部
３０２ａ、３０２ｂ  箱部
３０４ａ、３０４ｂ  仕切り部
３０６ａ、３０６ｂ  区画
Ｆ  折り目
【図１】
0003208217.tif 000003
【図２】
0003208217.tif 000004